(57)【要約】【解決手段】帯体の面に添う程度の面積を有する添片に、シリコンゴムからなり少なくとも平坦な面を有する突起物が複数列並んでおり、一つの列は同一形状で一定隙間を有し、列ごとの突起物の形状や大きさは異なる突起物が両面に複数個形成され、帯状体に装着させ、装着手段は、添片の長手方向の一端部と他端部とに、片面からその裏面に貫通する通し孔を有していることを特徴とする肩掛け帯用滑り止め。【効果】シリコンゴムからなり少なくとも平坦な面を有する突起物が形成されているために、通常の合成ゴムやポリウレタン製のものより、高い滑り止め機能を発揮する。つまり、シリコンゴムは高い反発弾性や耐候性をもっているものであるためにこれらの諸機能が相乗的に作用し、これを平坦な面をもつ突起物を両面に有することで、平坦な面と接触する箇所に高い滑り止め機能を発揮できる。【選択図】　　図３
2004008236.tif 000002
【特許請求の範囲】
【請求項１】
帯体の面に添う程度の面積を有する添片に、シリコンゴムからなり少なくとも平坦な面を有する突起物が複数個形成されており、帯状体に装着させ得る装着手段をもつ肩掛け帯用滑り止め。
【請求項２】
少なくとも平坦な面を有する突起物が、複数列並んでおり、一つの列は同一形状で一定隙間を有し、列ごとの突起物の形状や大きさは異なることを特徴とする請求項１記載の肩掛け帯用滑り止め。
【請求項３】
少なくとも平坦な面を有する突起物が添片の両面に形成されていることを特徴とする請求項１または２のいずれかに記載の肩掛け用滑り止め。
【請求項４】
装着手段は、添片の長手方向の一端部と他端部とに、片面からその裏面に貫通する通し孔を有していることを特徴とする請求項１、２もしくは３のいずれかに記載の肩掛け帯用滑り止め。
【発明の詳細な説明】
【０００１】
【発明の属する技術分野】
本発明はショルダーバッグやリュックサックなど、ベルトといった帯体を肩から掛けて保持し得る形式のものにおいて、高い滑り止め機能を発揮するだけでなく、なおかつ帯体に装着が極めて簡単な滑り止めを提供するものである。
【０００２】
【従来の技術】
従来、ショルダーバッグやリュックサックのように肩から掛けて保持しえる形式のものにおいて、その肩掛けベルトの滑り止めとしては、合成ゴムやポリウレタン製のものが用いられており、シリコンゴムを用いた肩掛けベルト用のものはほとんどなかった。
一方、シリコンゴムを用いた滑り止めに関する技術としては、例えば実用新案登録第３０２９８６３号や実用新案登録第３００７９７７号がある。
【０００３】
シリコンゴムを用いたこのような滑り止めもシリコン製の突起物を備えているが、ズボンやスカートの腰裏やベルトのような帯状体の裏面に貼り付け、固定させる必要があるため、簡単に取り付けることが出来ない。また、シリコン製の突起物が極めて小さいから、十分に滑り止め機能を発揮しうるものではない。
【０００４】
【発明が解決しようとする課題】
本発明における肩掛け帯用滑り止めは、高い滑り止め機能を十分に発揮し、なおかつベルト等の帯体に極めて簡単に装着し得るようにすることを技術的課題とするものである。
【０００５】
【課題を解決するための手段】
かかる課題を解決するために本発明は、帯体の面に添う程度の面積を有する添片に、シリコンゴムからなり少なくとも平坦な面を有する突起物が複数個形成されており、帯状体に装着させ得る装着手段をもつ肩掛け帯用滑り止めである。
【０００６】
これにより、シリコンゴムからなり少なくとも平坦な面を有する突起物が形成されているために、通常の合成ゴムやポリウレタン製のものより、高い滑り止め機能を発揮する。
つまり、シリコンゴムは高い反発弾性や耐候性をもっているものであるためにこれらの諸機能が相乗的に作用し、これを平坦な面をもつ突起物とすることで、平坦な面と接触する箇所に高い滑り止め機能を発揮できる。
【０００７】
また、少なくとも平坦な面を有する突起物が、複数列並んでおり、一つの列は同一形状で一定隙間を有し、列ごとの突起物の形状や大きさは異なることが望ましい。
【０００８】
これにより、複数列の突起物が一定の隙間をもって並んでいることで、多数突起物とその隙間によって、肩などに対して大きな摩擦が生じることになり、高い滑り止め機能を発揮する。また、列ごとの突起物の形状や大きさが異なるために、前後左右のいずれの方向から外力が加わった場合でも、その力の方向と直交する片をもつ突起物がしっかりと外力を受け止めることができ、より高い滑り止め機能を発揮する。
【０００９】
また、少なくとも平坦な面を有する突起物が添片の両面に形成されていることが望ましい。
【００１０】
これにより、シリコンゴムからなり少なくとも平坦な面を有する突起物が添片に形成されていることから、使用により突起物が磨り減った場合に本発明のベルトストップを取り外して裏返しにすることで、より長い期間、使用することができる。両面に突起物が形成されていることは、肩にかけたときに、肩とベルトに対して滑り止め機能を発揮する他、ベルトと本ベルトストップ自体に対しても滑り止め機能を発揮することができる。
【００１１】
また、装着手段は、添片の長手方向の一端部と他端部とに、片面からその裏面に貫通する通し孔を有していることが望ましい。
【００１２】
通し孔にベルトを通すことで本発明の肩掛け帯用滑り止めを帯体に極めて簡単に取り付けることが出来る。また、２つの通し孔に一本の帯体を通したときに、通し孔が添片の両端部にあることからベルトが添片の片面の突起物と接触し、ベルトと肩掛け帯用滑り止めとの間にも滑り止め機能が働く。これにより、シリコンゴムからなりすくなくとも平坦な面が接着している箇所だけでなく、ベルトと肩掛け帯用滑り止めをも滑り止め機能が発揮されることから、肩掛け帯用滑り止め全体として高い滑り止め機能が発揮されることになる。
【００１３】
【発明の実施の形態】
本発明である肩掛け帯用滑り止めＡの実施の形態を図面に即して説明する。
図１は第１実施例にかかる肩掛け帯用滑り止めＡの平面図である。図２はその底面図である。図３は第１実施例にかかる肩掛け帯用滑り止めＡにベルト４を装着した状態を示す斜視図である。図４は第１実施例にかかる肩掛け帯用滑り止めＡの使用状態の一例を示している。図５は第２実施例にかかる包み込み型の肩掛け帯用滑り止めＡを示す斜視図で、図６はその肩掛け帯用滑り止めＡを折り畳んでベルト４に取り付ける様子を示す斜視図である。
【００１４】
本実施例の肩掛け帯用滑り止めＡは主にかばんなどベルト４のような帯体を使用する場合、例えば肩掛けかばんの肩掛けベルトに装着し、ベルト４が肩から滑り落ちないように滑り止め機能を発揮しえる係止具にかかるものである。
本実施例の肩掛け帯用滑り止めＡはシリコンゴムを使用しているものであるため、高い滑り止め機能を発揮するだけでなく、耐候性や電気絶縁性にも優れたものであることから、アウトドアグッズのリュックなどの肩掛け帯用滑り止めＡとして使用すると特に優れた効果を発揮するものである。
以下、肩掛け帯用滑り止めＡの実施例について説明するが、本発明がこれらに限定されるものではない。
【００１５】
第１実施例
第１実施例にかかる肩掛け帯用滑り止めＡは図１において右側に現れる長手方向周縁部が外突弧状で、その反対側の長手方向周縁部が内側に湾曲しており、両長手方向の周縁部間がともに外突弧状の添片１から構成されている。添片１はシリコンゴムにより成型されている。添片１にはその表面２から裏面３にわたって貫通する通し孔５が図１の上下２箇所に設けられている。そして、両通し孔５、５にはベルト４など１本の帯体が通される。
【００１６】
添片１の表面２と裏面３の両面には少なくとも平坦な面を有する突起物６が複数個形成されている。各突起物６の高さは１．５ミリメートルから２ミリメートル程度であり、突起物６の平坦な面の面積は１０平方ミリメートル程度のものから５００平方ミリメートル程度のものもある。図に示す突起物６の形状は基本的に方形状であり、添片１全体には５列の突起物６が並んで形成されているところ、列ごとの方形状の突起物６の形状は異なっている。添片１の周縁部７と各突起物６、６間の部分７は突起物６の平坦な面より一段低くなっており、このシリコンゴムからなる突起物６とその周囲にある隙間７があることで高い滑り止め機能が発揮される。
【００１７】
図２には肩掛け帯用滑り止めＡ、（添片１）の裏面３の状態を示している。
添片１の裏面３は表面２と同様、少なくとも平坦な面を有する突起物６が５列に分かれて形成されている。なお、裏面３は表面２と対称的であるため、図２の左側に現れる長手方向周縁部が外突弧状で、その反対側の長手方向周縁部が内側に湾曲している。
【００１８】
添片１の表面２から裏面３にわたって貫通する通し孔５に、図３に示すようにかばんのベルトなどの帯体を通すことによって、肩掛け帯用滑り止めＡを取り付けるベルトへの装着手段である。
肩掛けかばんのベルト４に取り付ける場合、添片１の両長手方向周縁部のうち内側に湾曲している方を、肩に掛けたときの使用者の首側に向けて取り付ける。これは人間の肩にあった形状とすることで、より高い滑り止め機能を発揮することになるからである。
肩掛けかばんのベルト４に本肩掛け帯用滑り止めＡを装着して肩に掛けている状態を図４に示す。
なお、肩掛け帯用滑り止めＡにベルト４を通した状態を図３に示す。
２つの通し孔５、５に１本のベルト４を通すに当たっては、裏面３側から通し孔５にベルト４を通して表面２側に貫通させ、表面２側から再び通し孔５にベルト４を通して、裏側に貫通させる。
【００１９】
第２実施例
第２実施例にかかる肩掛け帯用滑り止めＡを図５、図６に示す。両図に示すものは、いわゆる包み込みタイプの肩掛け帯用滑り止めＡであり、添片１が折り畳み得る形式のものである。
この場合の添片１は方形状であり、その中央部分８には少なくとも平坦な面を有する突起物６が列をなして複数個形成されている。
中央部分８の左右両側には折り畳み部９Ａ、９Ｂが形成されている。
つまり第２実施例の肩掛け帯用滑り止めＡは図５に示すように、中央に少なくとも平坦な面を有する突起物６を有し、その左右両側に折り畳み部９Ａ、９Ｂを有するものである。
【００２０】
第２実施例のベルトストップ１の中央部分８は第１実施例と同じくシリコンゴムから成型されている。中央部分８には５列に長手方向の角度の異なった直方体の突起物６が複数、形成されている。また、突起物６の周辺には隙間７が形成されており、このシリコンゴムの突起物６と隙間７があることで滑り止め機能が発揮される。
【００２１】
中央部分８の左右両端側にある折り畳み部分９Ａ、９Ｂは中央部分８よりやわらかい素材により形成されている。本実施例においてはナイロン樹脂により形成されている。
折り畳み部分の一方９Ａの内面（図５では上面、図６では下面）に凸型ドットボタン１０が２箇所取り付けられている。もう一方の折り畳み部９Ｂの外面（図６では上面、折り畳んだ状態での図７では上面）には凹型ドットボタン１１が２箇所取り付けられている。
また、凹ドットボタン１１は２列にわたって取り付けられている。凹ドットボタン１１が２列にわたって取り付けられているのはベルト４の幅の長さに応じて凸ドットボタン１０で係止することができるようにするためである。
【００２２】
第２実施例の包み込みタイプの肩掛け帯用滑り止めＡのベルト４への装着方法を図６に示す。
肩掛け帯用滑り止めＡの中央部分８上にベルト４を置き、左右両側の折り畳み部９Ａ、９Ｂを折り畳む。図６に示すように、凹型ドットボタン１１が取り付けられている折り畳み部９Ｂを先に折り畳み、その後に凸型ドットボタン１０が取り付けられている折り畳み部９Ａを折り畳む。そして凸型ドットボタン１０と凹型ドットボタン１１とを係合させて折り畳み状態を保持することで、ベルト４を包み込んだ状態で肩掛け帯用滑り止めＡを装着することができる。
【００２３】
中央部分８と折り畳み部９Ａ、９Ｂとの間には、蛇腹１２が取り付けられている。この蛇腹１２があることにより一定範囲で伸縮が可能になることから、ベルト４に取り付ける場合に折り畳み部９Ａ、９Ｂの折り畳みが容易になる。また、凹型ドットボタンを遠い箇所、近い箇所に設けられている場合に、どちらの箇所に凸型ドットボタンを係止させたとしても、蛇腹１２の伸縮効果によりベルト４と肩掛け帯用滑り止めとの隙間を少なくすることができる。
【００２４】
第１、第２実施例で共通するところは、添片１の両面にシリコンゴムからなり少なくとも平坦な面を有する突起物６が複数形成されており、各突起物６、６間の隙間７’、７’部分が突起物６の平坦な面より一段低くなっている点である。このシリコンゴムからなる突起物６とその周囲に隙間７’があることにより、シリコンゴムの反発弾性や耐候性など諸機能が相乗的に作用し、より高い滑り止め機能が発揮されることになる。
また、シリコンゴムからなり少なくとも平坦な面を有する突起物６が添片１の両面に形成されているために、肩とベルトなどの帯体に対して滑り止め機能を発揮するだけでなく、ベルト４と肩掛け帯用滑り止めＡとの間でも滑り止め機能が発揮され、全体として極めて高い滑り止め機能が発揮されることになる。
【００２５】
【発明の効果】
請求項１の発明により、シリコンゴムからなり少なくとも平坦な面を有する突起物が形成されているために、通常の合成ゴムやポリウレタン製のものより、高い滑り止め機能を発揮する。
つまり、シリコンゴムは高い反発弾性や耐候性をもっているものであるためにこれらの諸機能が相乗的に作用し、これを平坦な面をもつ突起物とすることで、平坦な面と接触する箇所に高い滑り止め機能を発揮できる。
【００２６】
請求項２記載の発明により、これにより、複数列の突起物が一定の隙間をもって並んでいることで、多数突起物とその隙間によって、肩などに対して大きな摩擦が生じることになり、高い滑り止め機能を発揮する。また、列ごとの突起物の形状や大きさが異なるために、前後左右のいずれの方向から外力が加わった場合でも、その力の方向と直交する片をもつ突起物がしっかりと外力を受け止めることができ、より高い滑り止め機能を発揮する。
【００２７】
請求項３記載の発明により、シリコンゴムからなり少なくとも平坦な面を有する突起物が添片に形成されていることから、使用により突起物が磨り減った場合に本発明のベルトストップを取り外して裏返しにすることで、より長い期間、使用することができる。両面に突起物が形成されていることは、肩にかけたときに、肩とベルトに対して滑り止め機能を発揮する他、ベルトと本ベルトストップ自体に対しても滑り止め機能を発揮することができる。
【００２８】
請求項４記載の発明により、通し孔にベルトを通すことで本発明の肩掛け用帯体滑り止め帯体に極めて簡単にを取り付けることが出来る。また、２つの通し孔に一本の帯体を通したときに、通し孔が添片の両端部にあることからベルトが添片の片面の突起物と接触し、ベルトと肩掛け帯用滑り止めとの間にも滑り止め機能が働く。これにより、シリコンゴムからなりすくなくとも平坦な面が接着している箇所だけでなく、ベルトと肩掛け帯用滑り止めをも滑り止め機能が発揮されることから、肩掛け帯用滑り止め全体として高い滑り止め機能が発揮されることになる。
【００２９】
【図面の簡単な説明】
【図１】図１は第１実施例にかかる肩掛け帯用滑り止めの一例を示す平面図である。
【図２】図２は第１実施例にかかる肩掛け帯用滑り止めの一例を示す底面図である。
【図３】図３は第１実施例にかかる肩掛け帯用滑り止めの通し孔をベルトに装着した状態の一例を示す斜視図である。
【図４】図４は第１実施例にかかる肩掛け帯用滑り止めの使用状態の一例を示す斜視図である。
【図５】図５は第２実施例にかかる包み込み型の肩掛け帯用滑り止めの一例を示す斜視図である。
【図６】図６は第２実施例にかかる包み込み型の肩掛け帯用滑り止めの裏面の一例を示す斜視図である。
【図７】図７は第２実施例にかかる包み込み型の肩掛け帯用滑り止めを折り畳んでベルトに取り付ける様子を示す斜視図である。
【符号の説明】
Ａ…肩掛け帯用滑り止め
１…添片
２…表面
３…裏面
４…ベルト
５…通し孔
６…突起物
７…隙間
８…中間部分
９Ａ、９Ｂ…折り畳み部
１０…凸型ドットボタン
１１…凹型ドットボタン
１２…蛇腹
【図１】
2004008236.tif 000003
【図２】
2004008236.tif 000004
【図３】
2004008236.tif 000005
【図４】
2004008236.tif 000006
【図５】
2004008236.tif 000007
【図６】
2004008236.tif 000008
【図７】
2004008236.tif 000009